(57)【要約】      （修正有）【課題】湿気分の吸湿性及び放散性，保温性及び軽量性等の暖衣に求められる本来の基本的機能を確保し、他の有益となる追加的な機能を付加することにより、様々な商品により広く活用できる暖衣を提供する。【解決手段】表地２ｆと裏地２ｒの間に、２０〜４０重量パーセントの絹Ｓｉと６０〜８０重量パーセントの羊毛Ｗｏを混合し、かつ所定の厚さにした混合材Ｍｒを充填してなる暖衣を構成するに際して、混合材Ｍｒに、少なくとも消臭性を有する添加材Ａａ及び保温性を向上させる添加材Ａｂのいずれか一方又は双方を付着させる。【選択図】図２
0003168951.tif 000002
【実用新案登録請求の範囲】
【請求項１】
表地と裏地の間に、２０〜４０重量パーセントの絹と６０〜８０重量パーセントの羊毛を混合し、かつ所定の厚さとなる混合材を充填してなる暖衣であって、前記混合材に、少なくとも消臭性を有する添加材及び保温性を向上させる添加材のいずれか一方又は双方を付着させてなることを特徴とする暖衣。
【請求項２】
前記消臭性を有する添加材には、炭等の天然素材を原料とする粉末材料及び（又は）液体材料を利用することを特徴とする請求項１記載の暖衣。
【請求項３】
前記保温性を向上させる添加材には、セラミックス等の遠赤外線放出素材を原料とする粉末材料を利用することを特徴とする請求項１又は２記載の暖衣。
【請求項４】
膝掛，半纏，布団，手袋の少なくとも一つに適用することを特徴とする請求項１，２又は３記載の暖衣。
【考案の詳細な説明】
【技術分野】
【０００１】
本考案は、使用者の身に付けて身体を暖めることができる膝掛や半纏等に用いて好適な暖衣に関する。
【背景技術】
【０００２】
一般に、表地と裏地の間に羊毛綿又はもめん綿を充填した半纏は知られているが、このような従来の半纏の場合、羊毛綿又はもめん綿は単に充填しただけでは、次第に片寄りを生じて厚さの均一性が失われてしまうため、キルティングを施す必要があるなど、製造工程の煩雑化によりコストアップを招いて安価に提供できないとともに、身体から発散する汗等の湿気分に対する吸湿性及び放散性、更には保温性及び軽量性についても十分とはいえない難点があった。
【０００３】
一方、このような難点の解消を目的とした半纏も知られており、特許文献１には、コストダウンによる製品の低廉化を図るとともに、湿気分の吸湿性及び放散性、さらには保温性及び軽量性を高めるため、表地と裏地の間に、２０〜４０重量パーセントの絹と６０〜８０重量パーセントの羊毛を混合し、かつ所定の厚さとなる混合材を充填した半纏が開示されている。
【先行技術文献】
【特許文献】
【０００４】
【特許文献１】実用新案登録第３００５３５６号公報
【考案の概要】
【考案が解決しようとする課題】
【０００５】
しかし、上述した特許文献１の半纏をはじめ、従来の暖衣は次のような解決すべき課題も存在した。
【０００６】
第一に、湿気分の吸湿性及び放散性，更には保温性及び軽量性等の暖衣に求められる本来の基本的な機能は確保できるものの、暖衣に対して他の有益となる追加的な機能を付加し、商品の付加価値を高める観点からは必ずしも十分であるとは言えなかった。
【０００７】
第二に、基本的に、半纏に特化した構成となるため、絹と羊毛を最適比により混合した混合材の有する有益な特質を他の商品にも応用し、発展させることにより、より広く活用する観点からも更なる改善の余地があった。
【０００８】
本考案は、このような背景技術に存在する課題を解決した暖衣の提供を目的とするものである。
【課題を解決するための手段】
【０００９】
本考案は、上述した課題を解決するため、表地２ｆと裏地２ｒの間に、２０〜４０重量パーセントの絹Ｓｉと６０〜８０重量パーセントの羊毛Ｗｏを混合し、かつ所定の厚さとなる混合材Ｍｒを充填してなる暖衣１を構成するに際して、混合材Ｍｒに、少なくとも消臭性を有する添加材Ａａ及び保温性を向上させる添加材Ａｂのいずれか一方又は双方を付着させてなることを特徴とする。
【００１０】
この場合、考案の好適な態様により、消臭性を有する添加材Ａａには、炭等の天然素材を原料とする粉末材料及び（又は）液体材料を利用することができる。また、保温性を向上させる添加材Ａｂには、セラミックス等の遠赤外線放出素材を原料とする粉末材料を利用することができる。一方、暖衣１としては、膝掛１０，半纏２０，布団，手袋の少なくとも一つを適用することができる。
【考案の効果】
【００１１】
このような構成を有してなる本考案に係る暖衣１によれば、次のような顕著な効果を奏する。
【００１２】
（１）  ２０〜４０重量パーセントの絹Ｓｉと６０〜８０重量パーセントの羊毛Ｗｏを混合した混合材Ｍｒに、少なくとも消臭性を有する添加材Ａａ及び保温性を向上させる添加材Ａｂのいずれか一方又は双方を付着させてなるため、湿気分の吸湿性及び放散性，保温性及び軽量性等の暖衣に求められる本来の基本的な機能を確保できることに加え、使用者Ｈが身に付けた際の暖衣１に対して他の有益となる追加的な機能を付加することができ、暖衣１としての商品の付加価値をより高めることができる。
【００１３】
（２）  具体的な商品として、膝掛１０，半纏２０，布団，手袋等に利用できるなど、絹Ｓｉと羊毛Ｗｏを混合し、かつ添加材Ａａ…を付着させた混合材Ｍｒを様々な商品に応用し、かつ発展させることができ、有益な特質を有する添加材Ａａ…を付着させた混合材Ｍｒを、様々な商品に、より広く活用することができる。
【００１４】
（３）  好適な態様により、消臭性を有する添加材Ａａとして、炭等の天然素材を原料とする粉末材料及び（又は）液体材料を使用すれば、身体の体臭等の内側に対する消臭機能及び外側における室内の消臭機能等が付加されることに加え、比較的身近な原料を利用できるため、容易かつ的確に実施できるとともに、低コスト（廉価）に実施できる。
【００１５】
（４）  好適な態様により、保温性を向上させる添加材Ａｂとして、セラミックス等の遠赤外線放出素材を原料とする粉末材料を用いれば、遠赤外線による保温性向上機能等が付加されることに加え、比較的身近な原料を利用できるため、容易かつ的確に実施できるとともに、低コスト（廉価）に実施できる。
【図面の簡単な説明】
【００１６】
【図１】本考案の好適実施形態に係る膝掛（暖衣）の底面斜視図、
【図２】同膝掛（暖衣）の断面側面図、
【図３】同膝掛（暖衣）の使用状態を示す断面側面図、
【図４】同膝掛（暖衣）の製造方法を説明するための模式的斜視図、
【図５】同膝掛（暖衣）の使用状態を示す斜視図、
【図６】本考案の変更実施形態に係る半纏（暖衣）の使用状態を示す斜視図、
【考案を実施するための形態】
【００１７】
次に、本考案に係る好適実施形態を挙げ、図面に基づき詳細に説明する。
【００１８】
最初に、本実施形態に係る膝掛１０（暖衣１）について、図１〜図３を参照して説明する。
【００１９】
膝掛１０は、図２に示すように、全体を通して表地２ｆと裏地２ｒを有し、表地２ｆと裏地２ｒ間に、絹Ｓｉと羊毛Ｗｏを混合し、かつ消臭性を有する添加材Ａａ及び保温性を向上させる添加材Ａｂを付着させた混合材Ｍｒを充填して構成する。この場合、絹Ｓｉと羊毛Ｗｏの最適な混合比率は、絹Ｓｉを３０重量パーセント、羊毛Ｗｏを７０重量パーセントに選定する。この比率により最適な効果を得るが、それぞれ前後１０重量パーセント変化させても、前述した効果はある程度得ることができる。しかし、両者の比率をそれぞれ５０重量パーセントとした場合や一方の量を極端に多くした場合には前述した効果に対する有意性は認められなくなる。なお、絹Ｓｉとしては蚕が放出するいわゆる毛羽を利用することができる。例示の場合、混合材Ｍｒの全体総量は、１００〜１５０〔ｇ〕程度となる。
【００２０】
膝掛１０を製造するに際しては、まず、表地２ｆと裏地２ｒを用意する。表地２ｆと裏地２ｒは、肌触りの良い綿（コットン）等の素材を使用し、それぞれ図１に示すように、細長い矩形状に形成する。この場合、肌触りを良くするため、表面を、例えば、布オムツのような肌触りとなるように形成処理することができる。勿論、表地２ｆ及び裏地２ｒの外面には、様々な模様や色彩を施すことができる。
【００２１】
一方、絹Ｓｉと羊毛Ｗｏを前記比率で用意し、用意した絹Ｓｉと羊毛Ｗｏは製綿機に投入して両者を混合するとともに、ふわふわした状態に仕上げる。そして、仕上がった状態の混合材Ｍｒを所定の厚さを有し、かつ上述した表地２ｆと裏地２ｒ間に充填できるように全体の形態を製作する。さらに、得られた混合材Ｍｒに対しては、消臭性を有する添加材Ａａ及び保温性を向上させる添加材Ａｂを付着させる。
【００２２】
この場合、消臭性を有する添加材Ａａとしては、炭等の天然素材を原料とする粉末材料及び（又は）液体材料を利用できる。添加材Ａａとして、このような炭等の天然素材を利用すれば、身体の体臭等の内側に対する消臭機能及び外側における室内の消臭機能等が付加されることに加え、比較的身近な原料を利用できるため、容易かつ的確に実施できるとともに、低コスト（廉価）に実施できる利点がある。添加材Ａａを混合材Ｍｒに付着させるに際し、粉末材料、即ち、粉末状に生成した炭を用いる場合には、例えば、予め液状のバインダー（接着液）を用意し、混合材Ｍｒの表面にスプレーにより吹付けるとともに、吹き付けが終了したなら粉末状の炭をブロア等により吹き付け、この後、バインダーが硬化したなら余分な炭を除去することにより付着させることができる。他方、液体材料を用いる場合には、例えば、含浸槽に入れた木酢を用意し、この木酢に混合材Ｍｒの全体を沈めるとともに、所定時間の含浸時間が過ぎたなら、木酢から混合材Ｍｒを取り出し、乾燥させることにより付着させることができる。
【００２３】
保温性を向上させる添加材Ａｂとしては、セラミックス等の遠赤外線放出素材を原料とする粉末材料を利用できる。添加材Ａｂとして、このようなセラミックス等の遠赤外線放出素材を利用すれば、遠赤外線による保温性向上機能等が付加されることに加え、比較的身近な原料を利用できるため、容易かつ的確に実施できるとともに、低コスト（廉価）に実施できる利点がある。添加材Ａｂを混合材Ｍｒに付着させる場合には、遠赤外線放出素材を粉末状に生成し、上述した粉末状の炭に混在させるなどにより、一緒に付着させることができる。
【００２４】
そして、添加材Ａａ，Ａｂを付着させた混合材Ｍｒは、表地２ｆと裏地２ｒ間に挟まれるようにセットし、表地２ｆと裏地２ｒの周辺部同士を当該周辺部に沿って縫い付ければよい。この際、適当な位置にキルティングを施す。図１及び図２において、Ｋｉ…はキルティング部位を示している。なお、例示の混合材Ｍｒは、羊毛綿或いはもめん綿１００パーセントの場合に比べて、キルティングを施さなくても片寄りにくい性質を有するため、キルティングを設ける部位は少なくてもよい。
【００２５】
以上により、細長い矩形状の膝掛中間体１０ｍが得られるため、この膝掛中間体１０ｍの長手方向における一端側の一部１０ｐを、図４（ａ）に示すように、矢印Ｄｃ…方向に折り返し、対向する辺部同士を縫い付けることにより、図２に示すようなポケット状の足収容部１１を設ける。図４（ａ）中、Ｋｃ…は縫止部を示す。なお、図４（ｂ）に示すように、ポケット状の足収容部１１を、例えば、半円形に形成するような場合には、膝掛中間体１０ｍの長手方向における一端側の一部１０ｐを半円形に形成するとともに、別途形成した半円形のポケット片部１０ｑを用意し、このポケット片部１０ｑを一部１０ｐに縫い付けてもよい。図４（ｂ）中、Ｋｃ…は縫止部を示す。
【００２６】
また、足収容部１１を形成した膝掛中間体１０ｍの一部１０ｐの外面１０ｐｏには、多数の滑り止め部１２…を整列させて設ける。一つの滑り止め部１２は、粘液性を有する滑止剤をドット状に塗布して設けることができる。滑止剤としては、熱硬化性ゴム素材又は熱硬化性合成樹脂素材を使用し、正規硬化状態であってもある程度の軟性を有する素材、例えば、シリコン系ゴム素材，ラテックス系ゴム素材，アクリル樹脂素材，ポリ塩化ビニル樹脂素材，ポリウレタン樹脂素材等を用いることができる。
【００２７】
以上の工程を経て、本実施形態に係る膝掛１０を得ることができる。したがって、本実施形態に係る膝掛１０を使用する際には、図３に示すように、使用者Ｈがイス等に腰掛けた状態において、膝掛１０の足収容部１１が下側になるようにして膝の上に載せるとともに、足収容部１１に、使用者Ｈの足Ｈｆを入れればよい。これにより、足Ｈｆに対する保温性を高めることができるとともに、この状態において、多数の滑り止め部１２…が床面Ｆに接触するため、使用時における安定感が高められる。図５は、実際に使用している状態のイメージを示す。
【００２８】
本実施形態に係る膝掛１０は、充填材として、絹Ｓｉと羊毛Ｗｏの混合材Ｍｒを利用し、この際、混合材Ｍｒは、絹Ｓｉを３０重量パーセント、羊毛Ｗｏを７０重量パーセントの比率で混合するとともに、消臭性を有する添加材Ａａ及び保温性を向上させる添加材Ａｂを付着させ、さらに、所定の厚さにすることにより、表地２ｆと裏地２ｒの間に充填するようにしたため、特に、この混合材Ｍｒは、次のような作用を呈する。
【００２９】
即ち、羊毛Ｗｏは短く縮れた羊毛繊維の集合物のため、初期に弾力性は高いが長年の使用により固まる欠点があるとともに、絹Ｓｉは長い絹繊維の集合物のため、保温性が高く、容易には固まらないが、弾力性に劣る欠点がある。本実施形態に係る膝掛１０では、両者が最適比率で混合されるため、両者における互いの欠点が補完され、絹Ｓｉと羊毛Ｗｏの有する利点が発揮される。即ち、混合材Ｍｒは容易に固まらないため、厚さの均一性が保たれ、キルティングも少なくて済むとともに、使用者Ｈの身体から発散する汗等の湿気分に対する吸湿性及び放散性、さらには、全体の保温性及び軽量性が改善される。
【００３０】
しかも、このような暖衣１に求められる本来の基本的な機能を確保できることに加え、使用者Ｈが身に付けた際の暖衣１に対して他の有益となる追加的な機能を付加することができるため、暖衣１としての商品の付加価値をより高めることができる。また、羊毛と絹の相乗作用により吸湿性及び放散性が格段と向上するとともに、保温性及び軽量性が高められることにより、快適性が向上する。特に、羊毛綿又はもめん綿１００パーセントの半纏に比べて、同一容積で３０〜４０パーセント程度軽量化され、しかも、保温力は高められる。
【００３１】
次に、本発明の変更実施形態に係る半纏２０（暖衣１）について、図６を参照して説明する。
【００３２】
半纏２０も、基本的な構造は、前述した膝掛１０と同様に構成できる。即ち、図６に示すように、全体を通して表地２ｆと裏地２ｒを有し、表地２ｆと裏地２ｒ間に、絹Ｓｉと羊毛Ｗｏを混合し、かつ消臭性を有する添加材Ａａ及び保温性を向上させる添加材Ａｂを付着させた混合材Ｍｒを充填して構成する。この場合、絹Ｓｉと羊毛Ｗｏの最適な混合比率は、絹Ｓｉを３０重量パーセント、羊毛Ｗｏを７０重量パーセントに選定して構成できる。
【００３３】
なお、半纏２０としては、図６に示す袖２１、２２を有する一般的な半纏をはじめ、袖２１、２２を有しない、いわゆるチャンチャンコ等の同種の上着が含まれる。その他、基本的な製作は、半纏２０の形態として縫製することを除き、図１〜図３に示した膝掛１０と同様に、更には、公知の製作工程を経て製作することができる。このように、暖衣１は、具体的な商品として、例示したような、膝掛１０，半纏２０に利用できるなど、絹Ｓｉと羊毛Ｗｏを混合し、かつ添加材Ａａ…を付着させた混合材Ｍｒを様々な商品に応用し、かつ発展させることができ、有益な特質を有する添加材Ａａ…を付着させた混合材Ｍｒを、様々な商品に、より広く活用することができる。
【００３４】
以上、好適実施形態（変更実施形態）について詳細に説明したが、本考案は、このような実施形態に限定されるものではなく、細部の構成，形状，素材，数量，数値等において、本考案の要旨を逸脱しない範囲で、任意に変更，追加，削除することができる。例えば、例示の実施形態では、混合材Ｍｒに、消臭性を有する添加材Ａａと保温性を向上させる添加材Ａｂの双方を付着させた場合を示したが、添加材Ａａと添加材Ａｂのいずれか一方のみを付着させてもよい。また、例示した添加材Ａａ，Ａｂをはじめ、その他、抗菌材，害虫忌避材等の各種添加材を付着させることができる。
【産業上の利用可能性】
【００３５】
本考案に係る暖衣は、例示した、半纏，膝掛をはじめ、子供用布団等を含む各種布団類，防寒用の手袋等、使用者の身に付けて身体を暖めることができる各種暖衣に利用することができる。
【符号の説明】
【００３６】
１：暖衣，２ｆ：表地，２ｒ：裏地，Ｓｉ：絹，Ｗｏ：羊毛，Ｍｒ：混合材，Ａｒ：添加材，Ａａ：消臭性を有する添加材，Ａｂ：保温向上性を有する添加材，１０：膝掛，２０：半纏
【図１】
0003168951.tif 000003
【図２】
0003168951.tif 000004
【図３】
0003168951.tif 000005
【図４】
0003168951.tif 000006
【図５】
0003168951.tif 000007
【図６】
0003168951.tif 000008